(57)【特許請求の範囲】
【請求項１】
それぞれ両側の用紙送り孔を係止ピンに係止させて連続状態に配置した二つの連続用紙の繋ぎ部分に重ねる用紙接続用治具であって、
前記連続用紙の繋ぎ部分における用紙接合位置に対応して用紙の幅方向に開口された接続作業口部と、前記接続作業口部の一端側において用紙長手方向の前方と後方とに開口されて上記係止ピンが挿入される挿入孔と、前記接続作業口部の他端側において用紙長手方向の前方と後方とに開口され接続作業口部に沿って長孔状に設けられて上記係止ピンが挿入される挿入孔とを備えていることを特徴とする用紙接続用治具。
【請求項２】
前記接続作業口部は、用紙長手方向の開口幅が広狭変化するように拡縮可能に設けられている請求項１に記載の用紙接続用治具。
【請求項３】
上記接続作業口部は、接続作業口部の中心線に向けて張り出し可能に設けられその中心線を間にして対向配置されて互いが逆方向に移動する一対のガイドを有する請求項１または２に記載の用紙接続用治具。
【発明の詳細な説明】
【０００１】
【発明の属する技術分野】
本発明は連続用紙の接続作業を補助する治具に関するものである。
【０００２】
【発明が解決しようとする課題】
図４に示されているように、一般に、連続用紙ａに対する加工、例えば、印字、印刷、糊付け、折り込みなどを連続的に処理する場合、連続用紙ａを巻いたロールｂからその連続用紙ａを引き出して加工機械ｃ側に送り出すようにしている。そして、ロール交換などにおいて連続用紙を接続する作業が行えるように、ロールｂから加工機械ｃまでの工程中に連続用紙受け台ｄが設置されている。図５に示すようにこの連続用紙受け台ｄは、二つの連続用紙ａの端部同士を乗せ置く受け板ｅと、その受け板ｅの用紙接続位置ｆに対して用紙長手方向Ａの前方と後方とに位置する係止ピンｇとからなるものである。前記係止ピンｇは連続用紙の両側の用紙送り孔が係止できるように前方側、後方側ともに二つずつ配置され、前記受け板ｅを間にして隣り合う係止ピンｇが同一の台座ｈに取り付けられており、この台座ｈが前記受け板ｅと同じ方向に渡されたロッドｉに案内されて移動することで、前記係止ピンが連続用紙の用紙送り孔の位置に対応できるようにしているとともに、連続用紙の走行中には側方に待機できるようにしている。
そして、連続用紙を接続するに当たっては、前記係止ピンに用紙送り孔を掛けながら受け板ｅの上で連続用紙の端部を一致させ、或は係止ピンに用紙送り孔を掛けた連続用紙が上下に重なるようにして受け台の上に置いてからその受け台上で両連続用紙を一度に切断することで端部同士が揃うようにし（切断位置は一定とされている）、この後接着テープを用いて両連続用紙の端部を接続していた。この接着テープの貼付に際しては例えば、実公昭５３−４４５０１号公報に示されているように、連続用紙繋ぎ部分に重ねて連続用紙の端部に対応する箇所が開放されている用具が利用されており、この用具を繋ぎ部分に乗せて両端部を保持し、前記開放部分に沿って、即ち、その開放部分をガイドとして利用しながら接着テープの貼り付けが行われていた。
【０００３】
しかしながら、接着テープの貼り付けに際して使用される従来の用具では、接着テープを貼り付けるための開放箇所の用紙長手方向の寸法が一定であるため、連続用紙の用紙幅に応じるなどの各種条件ごとに幅の異なる接着テープを用いようとすると、前記開放部分の開口縁がガイドとして利用することができなくなり、このため、作業員による目視確認を行いながら注意深く接着テープを貼り付けなければならず、手間の要する作業となっていた。
そこで本発明は上記事情に鑑み、接着テープを貼り付ける際にガイドとなる開放部分に対して用紙長手方向の寸法が変更できるようにすることを課題とし、連続用紙の接続作業を容易に行えるようにすることを目的とする。
【０００４】
【課題を解決するための手段】
本発明は上記課題を考慮してなされたもので、それぞれ両側の用紙送り孔を係止ピンに係止させて連続状態に配置した二つの連続用紙の繋ぎ部分に重ねる用紙接続用治具であって、前記連続用紙の繋ぎ部分における用紙接合位置に対応して用紙の幅方向に開口された接続作業口部と、前記接続作業口部の一端側において用紙長手方向の前方と後方とに開口されて上記係止ピンが挿入される挿入孔と、前記接続作業口部の他端側において用紙長手方向の前方と後方とに開口され接続作業口部に沿って長孔状に設けられて上記係止ピンが挿入される挿入孔とを備えることを特徴とする用紙接続用治具を提供して、上記課題を解消するものである。そして、本発明では、前記接続作業口部は、用紙長手方向の開口幅が広狭変化するように拡縮可能に設けられていることが良好であり、また、前記接続作業口部は、接続作業口部の中心線に向けて張り出し可能に設けられその中心線を間にして対向配置されて互いが逆方向に移動する一対のガイドを有するものとすることが可能である。
【０００５】
【発明の実施の形態】
つぎに本発明を図１から図３に示す実施の形態に基づいて詳細に説明する。
図中１は用紙接続用治具で、該用紙接続用治具１はケース２とこのケース２の内部に移動可能にして配置された第一ガイド部材３、第二ガイド部材４とからなるものである。前記ケース２は連続用紙の繋ぎ部分に用紙幅方向に亘って乗せ置くことができるように用紙幅方向に長く形成された上面視が長方形状のものであり、用紙接合位置に対応して用紙の幅方向に開口された接続作業口部５と、接続作業口部５の一端側でその接続作業口部５の用紙長手方向の前方と後方とに開口され、連続用紙の片側の用紙送り孔に対応している係止ピンを挿入するための挿入孔６と、接続作業口部５の他端側でその接続作業口部５の用紙長手方向の前方と後方とに開口され、接続作業口部５に沿って長孔状に設けられて他方の係止ピンを挿入するための挿入孔７とが上下方向（ケース厚さ方向）に貫通している。前記挿入孔７が長孔状に設けられているのは用紙幅に応じて用紙幅方向の間隔が調整される係止ピンに対応するためである。
【０００６】
上記ケース２の内部に配置される第一のガイド部材３は図示されているように上記接続作業口部５に沿うようにした直線状のガイド８を備えるとともに、両端部においては用紙長手方向に屈曲された形状としており、その両端部の外縁がケース内に回転可能に取り付けられたローラ９に支持され、このローラ９の支持によって第一ガイド部材３が用紙長手方向に移動可能としている。また、第二ガイド部材４は図示されているように接続作業口部５に沿うようにした直線状のガイド１０を備え、前記第一ガイド部材３の両端部の間に配置できる形状にしてケース２の内部において用紙長手方向に移動可能となるように配置されている。そして、この第二ガイド部材４の両端部側において、第二ガイド部材４の外縁と第一ガイド部材３における両端部の内縁とをラックギア１１とするともに、その間にケース２に回転可能に支持されて前記ラックギヤ１１に噛み合うピニオンギア１２を配置したラック・ピニオンギアのギア機構部１３が組み込まれており、このギア機構部１３の作用によって第一、第二ガイド部材３、４が用紙長手方向に沿って互いに異なる方向へ同移動量にして移動するように設けられている。さらに、前記ガイド８とガイド９とは前記接続作業口部５の中心線１４を間にして対向配置しており、それぞれがガイド部材３、４の移動で中心線１４に向けて張り出したり後退したりするように設けられており、そして、前述したように、第一、第二ガイド部材が同移動量で異なる方向に移動できるものとしているため、このガイド８とガイド９の移動によって接続作業口部５は用紙長手方向の開口幅が広狭変化するように拡縮可能となっている。
【０００７】
１５は第二ガイド部材４に開けられた手掛け用の孔であり、この手掛け用の孔１５を持つなどして第二ガイド部材１０をケース２に対して出し入れ操作することで、接続作業口部５の拡縮が行えるようにしている。また、１６は第二ガイド部材１０に開口された孔であり、移動する第二ガイド部材１０と挿入孔６、７に挿入した係止ピンとの干渉を無くすためのものである。
【０００８】
【発明の効果】
以上説明したように、本発明は、それぞれ両側の用紙送り孔を係止ピンに係止させて連続状態に配置した二つの連続用紙の繋ぎ部分に重ねる用紙接続用治具であって、前記連続用紙の繋ぎ部分における用紙接合位置に対応して用紙の幅方向に開口された接続作業口部と、前記接続作業口部の一端側において用紙長手方向の前方と後方とに開口されて上記係止ピンが挿入される挿入孔と、前記接続作業口部の他端側において用紙長手方向の前方と後方とに開口され接続作業口部に沿って長孔状に設けられて上記係止ピンが挿入される挿入孔とを備えていることを特徴とする用紙接続用治具である。このように四周を開口縁として備えている接続作業口部が存在するため、その開口縁を基準として接着テープの貼着作業が容易に行えるようになる。そして、前記接続作業口部を、用紙長手方向の開口幅が広狭変化するように拡縮可能とすれば、二つの連続用紙の繋ぎ部分にこの用紙接続用治具を乗せ置き、接続作業口部の開口幅を調節するだけで、接続に使用する接着テープの幅と同じ接続作業口部も得られるようになり、その開口縁に揃えて接着テープを接着することでより一層、確実に二つの連続用紙の端部同士を繋ぎ止めることができる。さらに、接続作業口部の開口幅を拡縮できるようにすることで、幅の異なる接着テープごとに用紙接続用治具を用意する必要がなくなり、一つの治具にて各種の接着テープを用いた接続作業に対処でき、経済的であるなど、実用性に優れた効果を奏するものである。
【図面の簡単な説明】
【図１】本発明に係る用紙接続用治具の一例を上方から見た状態で示す説明図である。
【図２】一例におけるガイドを示す説明図である。
【図３】一例を図１のア−ア線断面で示す説明図である。
【図４】連続用紙の送り出しと連続用紙作業部位を示す説明図である。
【図５】連続用紙の繋ぎ部分における受け台と係止ピンを示す説明図である。
【符号の説明】
１…用紙接続用治具
２…ケース
３…第一ガイド部材
４…第二ガイド部材
５…接続作業口部
６，７…挿入孔
８，１０…ガイド
ａ…連続用紙
ｇ…係止ピン
Ａ…用紙長手方向
【図１】
0003794000.tif 000002
【図２】
0003794000.tif 000003
【図３】
0003794000.tif 000004
【図４】
0003794000.tif 000005
【図５】
0003794000.tif 000006